(57)【要約】【課題】不正行為者と思しき者を検出し、不正行為を発見するのを補助することができる監視システムを提供する。【解決手段】パチンコ遊技機１のハンドル２に設けられ遊技者の指紋を検出する指紋検出手段３と、複数人の指紋情報を記憶した指紋記憶手段４と、指紋記憶手段４に記憶された指紋情報を参照して指紋検出手段３により検出された指紋を照合して合致した指紋を抽出する指紋照合手段７と、指紋照合手段７により合致抽出された指紋があったときはその旨を外部に喚起する監視制御手段６と、を備える。監視制御手段６は、指紋照合手段により合致抽出された指紋を有する遊技者を撮像するよう、パチンコパーラーの場内を撮像する複数の場内監視カメラ８，９に指令する。【選択図】  図２
2006296976.tif 000002
【特許請求の範囲】
【請求項１】
パチンコ遊技機のハンドルに設けられ遊技者の指紋を検出する指紋検出手段と、複数人の指紋情報を記憶した指紋記憶手段と、前記指紋記憶手段に記憶された指紋情報を参照して前記指紋検出手段により検出された指紋を照合して合致した指紋を抽出する指紋照合手段と、前記指紋照合手段により合致抽出された指紋があったときはその旨を外部に喚起する監視制御手段と、を備えたことを特徴とするパチンコパーラー監視システム。
【請求項２】
パチンコパーラーの場内を撮像する複数の場内監視カメラと、これら場内監視カメラを制御するカメラ制御手段とを備え、
前記監視制御手段は、前記指紋照合手段により合致抽出された指紋を有する遊技者を撮像するよう前記カメラ制御手段に指令することを特徴とする請求項１記載のパチンコパーラー監視システム。
【請求項３】
前記監視制御手段は、前記指紋照合手段により合致抽出された指紋を有する遊技者にベンチマークを設定して追従するよう前記カメラ制御手段に指令することを特徴とする請求項２記載のパチンコパーラー監視システム。
【請求項４】
前記監視制御手段は、パチンコパーラーのパチンコ遊技機の状態を管理する場内管理装置に対し、前記指紋照合手段により合致抽出された指紋が検出されたパチンコ遊技機の状態を監視するよう指令することを特徴とする請求項１〜３の何れかに記載のパチンコパーラー監視システム。
【請求項５】
パチンコパーラーの店員に異常である旨を警報する警報手段を有し、前記監視制御手段は、前記指紋照合手段により合致抽出された指紋があったときはその旨を前記警報手段に出力することを特徴とする請求項１〜４の何れかに記載のパチンコパーラー監視システム。
【請求項６】
前記監視制御手段に対し、特定のパチンコ遊技機の遊技者が目標者であることを操作者が入力する外部入力手段を備えたことを特徴とする請求項１〜５の何れかに記載のパチンコパーラー監視システム。
【請求項７】
前記外部入力手段から特定のパチンコ遊技機の遊技者が目標者であることが入力されたら、前記監視制御手段は、そのパチンコ遊技機の指紋検出手段により検出された指紋情報を前記指紋記憶手段に記憶させることを特徴とする請求項６記載のパチンコパーラー監視システム。
【請求項８】
パチンコパーラーに入店する遊技者を撮像して顔画像情報を取得する顔画像取得手段と、複数人の顔画像情報を記憶した顔画像記憶手段と、前記顔画像記憶手段に記憶された顔画像情報を参照して前記顔画像取得検出手段により取得された顔画像情報を照合して合致した顔画像情報を抽出する顔画像照合手段と、前記顔画像照合手段により合致抽出された顔画像情報があったときはその旨を外部に喚起する監視制御手段と、を備えたことを特徴とするパチンコパーラー監視システム。
【請求項９】
前記顔画像取得手段は、前記パチンコパーラーの入口を撮像するように店内に設けられていることを特徴とする請求項８記載のパチンコパーラー監視システム。
【請求項１０】
前記顔画像取得手段は、遊技者の顔を撮像するようそれぞれのパチンコ遊技機に設けられていることを特徴とする請求項８記載のパチンコパーラー監視システム。
【請求項１１】
パチンコパーラーの場内を撮像する複数の場内監視カメラと、これら場内監視カメラを制御するカメラ制御手段とを備え、
前記監視制御手段は、前記顔画像照合手段により合致抽出された顔を有する遊技者を撮像するよう前記カメラ制御手段に指令することを特徴とする請求項８〜１０の何れかに記載のパチンコパーラー監視システム。
【請求項１２】
前記監視制御手段は、前記顔画像照合手段により合致抽出された顔を有する遊技者にベンチマークを設定して追従するよう前記カメラ制御手段に指令することを特徴とする請求項１１記載のパチンコパーラー監視システム。
【請求項１３】
前記監視制御手段は、パチンコパーラーのパチンコ遊技機の状態を管理する場内管理装置に対し、前記顔画像照合手段により合致抽出された顔画像が検出されたパチンコ遊技機の状態を監視するよう指令することを特徴とする請求項８〜１２の何れかに記載のパチンコパーラー監視システム。
【請求項１４】
パチンコパーラーの店員に異常である旨を警報する警報手段を有し、前記監視制御手段は、前記顔画像照合手段により合致抽出された顔画像があったときはその旨を前記警報手段に出力することを特徴とする請求項８〜１３の何れかに記載のパチンコパーラー監視システム。
【請求項１５】
前記監視制御手段に対し、特定のパチンコ遊技機の遊技者が目標者であることを操作者が入力する外部入力手段を備えたことを特徴とする請求項８〜１４の何れかに記載のパチンコパーラー監視システム。
【請求項１６】
前記外部入力手段から特定のパチンコ遊技機の遊技者が目標者であることが入力されたら、前記監視制御手段は、そのパチンコ遊技機の顔画像検出手段により検出された顔画像情報を前記顔画像記憶手段に記憶させることを特徴とする請求項１５記載のパチンコパーラー監視システム。
【発明の詳細な説明】
【技術分野】
【０００１】
本発明は、パチンコパーラー監視システムに関し、特に不正行為者と思しき者を検出してベンチマークを設定し、不正行為を発見するのを補助することができる監視システムに関する。
【背景技術】
【０００２】
近年のパチンコ遊技機にはマイクロコンピュータが内蔵され、３つの数字や図柄を所定のものに揃えると、多数の出球が取得できるものが主流となっている。この種のパチンコ遊技機において、３つの数字や図柄が所定のものに揃う、いわゆる大当たりと称されるものは、マイクロコンピュータに設定されたプログラムに応じた周期や頻度に依るので、遊技者にとっては偶然性が支配することになり、遊技者が故意に操作できない仕組みとなっている。
【０００３】
しかしながら、大当たりになると通常の数百倍の出球を取得できるので、これを目的とした犯罪行為も増加し、その手口も年々巧妙となっている。たとえば、夜間や休日などの閉店時にパチンコパーラーに侵入して、マイクロコンピュータのプログラムを格納したロム（ＲＯＭ）を、細工を施したロム（裏ロムと称される）に交換し、開店時にその台に着いて細工にしたがって遊技することで大当たりを出すという手口がある。
【０００４】
こうした犯罪は、大当たりが出てその遊技者がパーラーを出てしまってから発見されることが殆どであり、ゴト師と呼ばれる不正行為者が来店したことを発見してもその不正行為を未然に防ぐことができなかった。
【発明の開示】
【０００５】
本発明は、不正行為者と思しき者を検出し、不正行為を発見するのを補助することができる監視システムを提供することを目的とする。
（１）上記目的を達成するために、第１の観点による本発明に係るパチンコパーラー監視システムは、パチンコ遊技機のハンドルに設けられ遊技者の指紋を検出する指紋検出手段と、複数人の指紋情報を記憶した指紋記憶手段と、前記指紋記憶手段に記憶された指紋情報を参照して前記指紋検出手段により検出された指紋を照合して合致した指紋を抽出する指紋照合手段と、前記指紋照合手段により合致抽出された指紋があったときはその旨を外部に喚起する監視制御手段と、を備える。
【０００６】
本発明のパチンコパーラー監視システムにおいて、パチンコパーラーの場内を撮像する複数の場内監視カメラと、これら場内監視カメラを制御するカメラ制御手段とを備え、前記監視制御手段は、前記指紋照合手段により合致抽出された指紋を有する遊技者を撮像するよう前記カメラ制御手段に指令することがより好ましい。
【０００７】
また、本発明のパチンコパーラー監視システムにおいて、前記監視制御手段は、前記指紋照合手段により合致抽出された指紋を有する遊技者にベンチマークを設定して追従するよう前記カメラ制御手段に指令することがより好ましい。
【０００８】
また、本発明のパチンコパーラー監視システムにおいて、前記監視制御手段は、パチンコパーラーのパチンコ遊技機の状態を管理する場内管理装置に対し、前記指紋照合手段により合致抽出された指紋が検出されたパチンコ遊技機の状態を監視するよう指令することがより好ましい。
【０００９】
また、本発明のパチンコパーラー監視システムにおいて、パチンコパーラーの店員に異常である旨を警報する警報手段を有し、前記監視制御手段は、前記指紋照合手段により合致抽出された指紋があったときはその旨を前記警報手段に出力することがより好ましい。
【００１０】
また、本発明のパチンコパーラー監視システムにおいて、前記監視制御手段に対し、特定のパチンコ遊技機の遊技者が目標者であることを操作者が入力する外部入力手段を備えることがより好ましい。
【００１１】
また、本発明のパチンコパーラー監視システムにおいて、前記外部入力手段から特定のパチンコ遊技機の遊技者が目標者であることが入力されたら、前記監視制御手段は、そのパチンコ遊技機の指紋検出手段により検出された指紋情報を前記指紋記憶手段に記憶させることがより好ましい。
【００１２】
本発明では、パチンコ遊技機の遊技者は、遊技中は必然的にハンドルを握らなければならないことと、指紋が個人情報の特定手段として最も信頼性があることと、指紋照合は短時間で正確に行うことができることに着目し、不正行為者と思しき者のような目標者の指紋情報を蓄積しておき、各パチンコ遊技機のハンドルに設けられた指紋検出手段により来店者の指紋を照合して蓄積された指紋情報に合致するものがあるかどうかをチェックする。そして、蓄積データの中の指紋情報に合致する指紋が検出されたら、そのパチンコ遊技機の遊技者を目標者と定め、場内監視カメラ、場内管理装置、店員を用いて不正行為の現場を証拠として取得する。
【００１３】
（２）上記目的を達成するために、第２の観点による本発明に係るパチンコパーラー監視システムは、パチンコパーラーに入店する遊技者を撮像して顔画像情報を取得する顔画像取得手段と、複数人の顔画像情報を記憶した顔画像記憶手段と、前記顔画像記憶手段に記憶された顔画像情報を参照して前記顔画像取得検出手段により取得された顔画像情報を照合して合致した顔画像情報を抽出する顔画像照合手段と、前記顔画像照合手段により合致抽出された顔画像情報があったときはその旨を外部に喚起する監視制御手段と、を備える。
【００１４】
本発明のパチンコパーラー監視システムにおいて、前記顔画像取得手段は、前記パチンコパーラーの入口を撮像するように店内に設けるか、あるいは遊技者の顔を撮像するようそれぞれのパチンコ遊技機に設けることが好ましい。
【００１５】
また、本発明のパチンコパーラー監視システムにおいて、パチンコパーラーの場内を撮像する複数の場内監視カメラと、これら場内監視カメラを制御するカメラ制御手段とを備え、前記監視制御手段は、前記顔画像照合手段により合致抽出された顔を有する遊技者を撮像するよう前記カメラ制御手段に指令することがより好ましい。
【００１６】
また、本発明のパチンコパーラー監視システムにおいて、前記監視制御手段は、前記顔画像照合手段により合致抽出された顔を有する遊技者にベンチマークを設定して追従するよう前記カメラ制御手段に指令することがより好ましい。
【００１７】
また、本発明のパチンコパーラー監視システムにおいて、前記監視制御手段は、パチンコパーラーのパチンコ遊技機の状態を管理する場内管理装置に対し、前記顔画像照合手段により合致抽出された顔画像が検出されたパチンコ遊技機の状態を監視するよう指令することがより好ましい。
【００１８】
また、本発明のパチンコパーラー監視システムにおいて、パチンコパーラーの店員に異常である旨を警報する警報手段を有し、前記監視制御手段は、前記顔画像照合手段により合致抽出された顔画像があったときはその旨を前記警報手段に出力することがより好ましい。
【００１９】
また、本発明のパチンコパーラー監視システムにおいて、前記監視制御手段に対し、特定のパチンコ遊技機の遊技者が目標者であることを操作者が入力する外部入力手段を備えることがより好ましい。
【００２０】
また、本発明のパチンコパーラー監視システムにおいて、前記外部入力手段から特定のパチンコ遊技機の遊技者が目標者であることが入力されたら、前記監視制御手段は、そのパチンコ遊技機の顔画像検出手段により検出された顔画像情報を前記顔画像記憶手段に記憶させることがより好ましい。
【００２１】
本発明では、不正行為の疑いの高い顔写真は比較的多量に入手できることと、顔写真が個人情報の特定手段としてきわめて信頼性があることと、顔画像照合は短時間で正確に行うことができることに着目し、不正行為者と思しき者のような目標者の顔画像情報を蓄積しておき、各パーラーの入口または各パチンコ遊技機などに設けられた顔画像取得手段により来店者の顔画像を照合して蓄積された顔画像情報に合致するものがあるかどうかをチェックする。そして、蓄積データの中の顔画像情報に合致する顔が検出されたら、そのパチンコ遊技機の遊技者を目標者と定め、場内監視カメラ、場内管理装置、店員を用いて不正行為の現場を証拠として取得する。
【発明の実施の形態】
【００２２】
以下、本発明の実施形態を図面に基づいて説明する。  
図１は、一般的なパチンコ遊技機１の外観斜視図であり、本発明に係る指紋センサ（指紋検出手段）３は、パチンコ遊技機本体の右下のハンドル２に設けられている。パチンコ遊技機のハンドル２は、遊技者の右手の３本又は４本の指により握られるハンドル本体と、パチンコ玉を弾くための回転スロットとを有し、遊技者は右手の３本又は４本の指でハンドル本体を握りつつ回転スロットを右に回して所望の位置で回転スロットを保持することでパチンコ玉を弾きながら遊技を行うことができる。このハンドル２は、必然的に右手の親指・人差し指・中指の３本、または親指・人差し指・中指・薬指の４本で握ることになるので、握る箇所に指紋センサ３を設けておくが、それぞれの箇所に指紋センサ３を複数設けても、特定の箇所に設けても良い。
【００２３】
なお、指紋センサ３の構造は特に限定されないが、たとえば指を置いたときに指紋の凹凸に対応して列配線と行配線との間隔が場所によって変化し、微小な容量変化として検出される感圧式のセンサなどを用いることができる。
【００２４】
パチンコ遊技機のハンドル２は、殆どの場合において遊技者の右手の親指から順に３本もしくは４本の指で握るように設計されていることから、遊技者の指紋を検出するのに適している。また、一般的なパチンコ遊技機１では回転スロットを常時握っておかなければならないように、アース（接地）などの機構を用いているので手袋をはめたり、指にテープなどを貼ったりして指紋採取を逃れようとしても、その前に玉を弾くことができないのでパチンコ遊技自体が不可能になる。本発明では、こうしたパチンコ遊技機の事情を勘案し、必然的に指紋が採取できるハンドル２に指紋センサ３を設けることとしている。
【００２５】
本発明に係る監視システムは、特定の目標者の指紋情報を格納した指紋データベース（指紋記憶手段）４を有する。この指紋データベース４は、たとえば過去に自己のパーラーで不正行為を働いたことがある者や、他のパーラーで不正行為を働いたことがある者の指紋情報が蓄積されている。好ましくは、指紋情報以外の、たとえば顔写真の画像情報などの個人情報が取得できれば、その個人情報と指紋情報とを対応付けて指紋データベース４に格納しておく。指紋データベース４はハードディスクなどの各種記憶媒体で構成することができる。
【００２６】
指紋データベース４に格納すべき、過去に不正行為を働いたことがある者の指紋情報がない場合であって、指紋以外に不正行為者を特定できる個人情報、たとえば顔や氏名がわかっている場合において、その者が来店した場合には、上述した指紋データベース４を用いた照合のみでは対処できない。このため、本発明では、その者が来店したことが判明したときに店員等が手入力でその旨を当該監視システムに入力することができる入力キーボード（外部入力手段）５を有する。この入力キーボード５から入力された情報は後述する監視制御手段６へ送出される。
【００２７】
本発明の監視システムでは、指紋センサ３で検出された指紋情報と指紋データベース４に格納された指紋情報とを照合して、合致したものがあるかどうかを確認して抽出する指紋照合手段７を有する。この指紋照合手段７は、ＣＰＵやＭＰＵなどの演算処理装置と、これに演算指令を送出するプログラムが格納されたＲＯＭと、演算結果を一時的に記憶するＲＡＭなどにより構成することができる。本発明の指紋照合手段７は、指紋センサ３で検出された指紋情報が指紋データベース４に格納された指紋情報に合致した場合には、そのパチンコ遊技機の固有番号（台番号など）と合致した旨を監視制御手段６へ送出する。
【００２８】
一方、パチンコパーラーの場内には、各パチンコ遊技機１とその機械で遊技する遊技者を撮像する場内監視カメラ８が適宜の箇所に複数設置されている。１台のパチンコ遊技機に１台の監視カメラを設置すると監視精度が高まるがコスト的に不利となるので、少なくとも全ての台の遊技者の行為が撮像可能な適切な台数とすることが望ましい。
【００２９】
場内監視カメラ８は、場内監視カメラ制御装置（場内監視カメラ制御手段）９により、撮像データの収集、編集、記録等が行われ、また場内監視カメラ８の撮像角度の移動も制御される。特に、監視制御手段６から目標者の指令があると、場内監視カメラ制御装置９により、対応する場内監視カメラ８からの撮像データ中の目標者にベンチマークが設定され、その目標者が場内を移動すると場内監視カメラ８もそれにともなって撮像角度を変えながら追従するようになっている。
【００３０】
場内管理装置１０は、パーラー内のパチンコ遊技機１の出球などを統括的に管理するコンピュータであり、各パチンコ遊技機１の出球数データを時間的に収集し、記録するが、本発明の監視システムの監視制御手段６から指令があると、そのパチンコ遊技機１の出球数をリアルタイムで監視制御手段６へ送出する。
【００３１】
さらに本発明の監視システムは、場内の監視やサービスを行う店員に異常を知らせる警報装置（警報手段）１１を有する。警報装置１１としては特に限定されず、目標者に気付かれずに店員に異常の発生を知らせることができる手段であればよい。たとえば、店員にしか視認できない箇所に設置された警報ランプや、無線通信による音声警報器などを挙げることができる。
【００３２】
本発明に係る監視制御手段６は、指紋照合手段７や入力キーボード５からの目標者の来店情報を受信したら、場内監視カメラ制御装置９にその目標者を撮像して追従するよう指令するとともに、警報装置１１を作動させて店員にも目標者の来店を知らせる。また、入力キーボード５から入力される場合などは指紋データベース４に記録がないので、これを新たに記憶させる。
【００３３】
次に監視手順の一例を説明する。
【００３４】
まず、新規な来店者が入場して所定のパチンコ遊技機に座り、ハンドルを握ると、指紋センサ３によりその遊技者の指紋が検出される。この指紋情報を受けた指紋照合手段７は、その指紋情報が指紋データべ−ス４に格納された指紋情報に合致するかどうかを照合し、合致する指紋でなければリターンする。これに対して、合致する指紋であるときは、そのパチンコ遊技機の固有番号とその旨を監視制御手段６へ送出する。
【００３５】
これを受けた監視制御手段６は、場内監視カメラ制御装置９に対し、そのパチンコ遊技機に対応した場内監視カメラ８にてそのパチンコ遊技機周辺の画像を撮像するよう指令を出し、また撮像された画像データ中の遊技者、すわなち不正行為を行うおそれの高い目標者にベンチマークを設定し、その目標者が場内を移動したら場内監視カメラ８によって追従し、常時その目標者の行動を撮像するよう指令する。
【００３６】
また、監視制御手段６は場内管理装置１０に対し、そのパチンコ遊技機の出玉状況をリアルタイムで送出するよう指令を出す。さらに、警報装置１１を作動させ、場内を監視する店員等に連絡する。
【００３７】
このように、本発明の監視システムを用いると、従来では押さえられなかった不正行為の現場を、画像データと出玉状況等で取得することができ、信憑性の高い不正行為の証拠を得ることができる。
【００３８】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００３９】
たとえば、上述した実施形態では、目標者を検出するのに指紋センサ（指紋検出手段）３を採用するとともに、予め不正行為者と思しき者の指紋情報を指紋データベース（指紋記憶手段）４格納し、これらを指紋照合手段７で照合、抽出するように構成したが、指紋に代えて顔の画像データを用いることもできる。すなわち、顔の画像データも指紋と同様、個人を特定する情報としてきわめて信頼性が高いので、これを用いる。
【００４０】
顔の画像データによりパーラー内の監視を行う場合には、図２に示す指紋検出手段３に代えて、場内の入口を撮像するよう設置されて入店する者の顔画像を取得する監視カメラ（顔画像取得手段）を設ける。なお、顔画像取得手段である監視カメラは各パチンコ遊技機に設けても良い。また、図２の指紋記憶手段４に代えて、目標者とすべき人物の顔画像を格納した顔画像データベース（顔画像記憶手段）を設ける。そして、指紋照合手段７に代えて顔画像照合手段を設け、ここで、顔画像取得手段で取得された入店者の顔画像データが、顔画像データベースに蓄積された顔画像に合致するかどうかを照合し、合致するものが抽出されたら、上記実施形態と同様の手順で、監視制御手段6によりその目標者の撮像等を開始する。
【００４１】
この顔画像を用いる実施形態では、不正行為者との疑いが強い情報が警察当局などから大量に入手でき、これを顔画像記憶手段に記憶させることができるので、不正行為の未然防止率が高まることになる。
【００４２】
また、図２に示す監視システムの一部をインターネットなどの情報通信網を介して構成することも本発明の範囲内である。たとえば、図２に示す指紋照合手段７と指紋記憶手段４とをプロバイダなどのサーバにて構築し、その他の構成要素をパーラーに設置する場合には、指紋検出手段３と指紋照合手段との間、指紋照合手段と監視制御手段との間、監視制御手段と指紋記憶手段との間をインターネットなどの情報通信網で構成すればよい。また、指紋記憶手段４のみをプロバイダのサーバにて構築する場合には、指紋記憶手段と指紋照合手段との間、指紋記憶手段と監視制御手段との間をインターネットなどの情報通信網で構成すればよい。
【図面の簡単な説明】
【００４３】
【図１】本発明に係る指紋センサが設けられる一般的なパチンコ遊技機を示す外観斜視図である。
【図２】本発明に係るパチンコパーラー監視システムを示すブロック図である。
【符号の説明】
【００４４】
１…パチンコ遊技機
２…ハンドル
３…指紋センサ（指紋検出手段）
４…指紋データベース（指紋記憶手段）
５…入力キーボード（外部入力手段）
６…監視制御手段
７…指紋照合手段
８…場内監視カメラ
９…場内監視カメラ制御装置（場内監視カメラ制御手段）
１０…場内管理装置
１１…警報装置（警報手段）
【図１】
2006296976.tif 000003
【図２】
2006296976.tif 000004